【事件の表示】
　特願２００１−１６５８８１号「照明型看板用光源支持具」拒絶査定不服審判事件〔平成１４年１２月１３日出願公開、特開２００２−３５８８１７号〕について、次のとおり審決する。
【結　論】
　本件審判の請求は、成り立たない。
【理　由】
１．手続の経緯
　
　本願は，平成１３年５月３１日の出願であって，平成１８年４月６日付けで拒絶査定がなされ，これに対し，同年５月１１日に本件審判請求がなされるとともに，同年６月１２日付けで手続補正（前置補正）がなされたものである。
　
２．平成１８年６月１２日付け手続補正についての補正却下の決定
　
［補正却下の決定の結論］
　平成１８年６月１２日付け手続補正を却下する。
　
［理由］
（１）本件補正の内容
　平成１８年６月１２日付け手続補正（以下「本件補正」という。）は，本件補正前の特許請求の範囲の
　
「【請求項１】
　箱型のケース（１）内に光源支持具（１０）が取り付けられ，その光源支持具（１０）はケース（１）に取り付けられる細長のシャーシ（２）に光源（１２）を取り付け可能なソケット（１１）が設けられ，光源（１２）からの光により前記ケース（１）に取り付けられた広告や標識等が表示された表示パネルを照明する照明型看板内用の光源支持具において，前記細長のシャーシ（２）は内側分割シャーシ（５ｂ）と外側分割シャーシ（５ａ）で構成され，内側分割シャーシ（５ｂ）はシャーシ底板（１５ｂ）の両側に側壁（１４ｂ）を設けてそれらの内側全長に電源安定器（３）を収容可能な収容空間（４）が形成され，外側分割シャーシ（５ａ）はシャーシ底板（１５ｂ）の両側に側壁（１４ａ）を設けてそれらの内側全長に内側分割シャーシ（５ｂ）を嵌入できる広さの嵌入空間（５０）が形成され，両分割シャーシ（５ａ，５ｂ）は内側分割シャーシ（５ｂ）が外側分割シャーシ（５ａ）の嵌入空間（５０）内に嵌入されて内側分割シャーシ（５ｂ）のシャーシ底板（１５ｂ）が外側分割シャーシ（５ａ）のシャーシ底板（１５ａ）の内側に，内側分割シャーシ（５ｂ）の両側壁（１４ｂ）が外側分割シャーシ（５ａ）の両側壁（１４ａ）の内側に重ねて配置され，内側分割シャーシ（５ｂ）の側壁（１４ｂ）と外側分割シャーシ（５ａ）の側壁（１４ａ）を連結することにより両分割シャーシ（５ａ，５ｂ）が連結され，両分割シャーシ（５ａ，５ｂ）の嵌合位置を変えることによりシャーシ（２）の長さを調節可能であることを特徴とする照明型看板用光源支持具。
　【請求項２】
　請求項１記載の照明型看板用光源支持具において，嵌合連結された外側分割シャーシ（５ａ）と内側分割シャーシ（５ｂ）の夫々の外側端部から取り付け板（６）を立ち上げ，夫々の取り付け板（６）にアーム（７）を回動可能に取り付け，夫々のアーム（７）に光源（１２）を取り付け可能なソケット（１１）を設け，アーム（７）を回動させることにより両ソケット（１１）間に取り付けられた光源（１２）の高さ及び位置を調節可能とし，取り付け板（６）とアーム（７）に停止機構（８）を設け，取り付け板（６）の停止機構（８）とアーム（７）の停止機構（８）は互いに係止離脱して係止時にアーム（７）を所望回動位置に停止でき，離脱時にアーム（７）を回動可能であることを特徴とする照明型看板用光源支持具。」
　
の記載を，
　
「【請求項１】
　照明型看板の箱型のケース（１）内に光源支持具（１０）が取り付けられ，その光源支持具（１０）はケース（１）に取り付けられる細長シャーシ（２）に光源（１２）を取り付け可能なソケット（１１）が設けられ，ソケット（１１）にセットした光源（１２）からの光により前記ケース（１）に設けられた広告や標識等が表示された表示パネルを照明する照明型看板において，前記細長のシャーシ（２）は内側分割シャーシ（５ｂ）と外側分割シャーシ（５ａ）で構成され，両分割シャーシ（５ａ，５ｂ）はアルミニウム製であり，内側分割シャーシ（５ｂ）はシャーシ底板（１５ｂ）の両側に側壁（１４ｂ）を設けてそれらの内側全長に電源安定器（３）を収容可能な収容空間（４）が形成され，外側分割シャーシ（５ａ）はシャーシ底板（１５ｂ）の両側に側壁（１４ａ）を設けてそれらの内側全長に内側分割シャーシ（５ｂ）を嵌入できる広さの嵌入空間（５０）が形成され，両分割シャーシ（５ａ，５ｂ）は内側分割シャーシ（５ｂ）が外側分割シャーシ（５ａ）の嵌入空間（５０）内に嵌入されて内側分割シャーシ（５ｂ）のシャーシ底板（１５ｂ）が外側分割シャーシ（５ａ）のシャーシ底板（１５ａ）の内側に，内側分割シャーシ（５ｂ）の両側壁（１４ｂ）が外側分割シャーシ（５ａ）の両側壁（１４ａ）の内側に重ねて配置され，内側分割シャーシ（５ｂ）の側壁（１４ｂ）と外側分割シャーシ（５ａ）の側壁（１４ａ）を連結することにより両分割シャーシ（５ａ，５ｂ）が連結され，両分割シャーシ（５ａ，５ｂ）の嵌合位置を変えることによりシャーシ（２）の長さを調節可能であり，前記内側分割シャーシ（５ｂ）の収容空間（４）内の長手方向の一部に電源安定器用プリント基板（２４）及び電源安定器用電子部品（２５）が組み込まれ且つ電気配線されてシャーシ無しの電源安定器（３）が形成されて前記シャーシ（２）と電源安定器（３）のシャーシを兼用とし，前記収容空間（４）内に組み込まれた前記電源安定器（３）が雨から保護するカバー（９）で被覆されたものであり，前記光源支持具（１０）は前記両分割シャーシ（５ａ，５ｂ）の収容空間（４）内であって前記電源安定器（３）の両外側に取り付け板（６）が取り付けられて当該取り付け板（６）の先端側が収容空間（４）の外側まで突設され，夫々の取り付け板（６）の先端側に光源取り付け用のソケット（１１）が取り付けられて形成され，前記シャーシ（２）の底板（１５）が前記箱型ケース（１）内に取り付けられたことを特徴とする光源支持具を備えた照明型看板。
　【請求項２】
　照明型看板の箱型のケース（１）内に光源支持具（１０）が取り付けられ，その光源支持具（１０）に支持された光源（１２）からの光により前記ケース（１）に設けられた広告や標識等が表示された表示パネルを照明する照明型看板において，前記細長のシャーシ（２）は内側分割シャーシ（５ｂ）と外側分割シャーシ（５ａ）で構成され，両分割シャーシ（５ａ，５ｂ）はアルミニウム製であり，内側分割シャーシ（５ｂ）はシャーシ底板（１５ｂ）の両側に側壁（１４ｂ）を設けてそれらの内側全長に電源安定器（３）を収容可能な収容空間（４）が形成され，外側分割シャーシ（５ａ）はシャーシ底板（１５ａ）の両側に側壁（１４ａ）を設けてそれらの内側全長に内側分割シャーシ（５ｂ）を嵌入できる広さの嵌入空間（５０）が形成され，両分割シャーシ（５ａ，５ｂ）は内側分割シャーシ（５ｂ）が外側分割シャーシ（５ａ）の嵌入空間（５０）内に嵌入されて内側分割シャーシ（５ｂ）のシャーシ底板（１５ｂ）が外側分割シャーシ（５ａ）のシャーシ底板（１５ａ）の内側に，内側分割シャーシ（５ｂ）の両側壁（１４ｂ）が外側分割シャーシ（５ａ）の両側壁（１４ａ）の内側に重ねて配置され，内側分割シャーシ（５ｂ）の側壁（１４ｂ）と外側分割シャーシ（５ａ）の側壁（１４ａ）を連結することにより両分割シャーシ（５ａ，５ｂ）が連結され，両分割シャーシ（５ａ，５ｂ）の嵌合位置を変えることによりシャーシ（２）の長さを調節可能であり，前記内側分割シャーシ（５ｂ）の収容空間（４）内の長手方向の一部に電源安定器用プリント基板（２４）及び電源安定器用電子部品（２５）が組み込まれ且つ電気配線されてシャーシ無しの電源安定器（３）が形成されて前記シャーシ（２）と電源安定器（３）のシャーシを兼用とし，前記収容空間（４）内に組み込まれた前記電源安定器（３）が雨から保護するカバー（９）で被覆されたものであり，前記光源支持具（１０）は前記両分割シャーシ（５ａ，５ｂ）の収容空間（４）内であって前記電源安定器（３）の両外側に取り付け板（６）が取り付けられて当該取り付け板（６）の先端側が収容空間（４）の外側まで突設され，夫々の取り付け板（６）の先端側に光源（１２）が支持され，前記シャーシ（２）の底板（１５）が前記箱型ケース（１）内に取り付けられたことを特徴とする光源支持具を備えた照明型看板。」
　
と補正することを含むものである。
　　
（２）補正の適否について
　上記補正は，本件補正前の請求項２を削除するとともに，本件補正前の請求項１について，同項の発明特定事項である「箱型のケース（１）」に「照明型看板の」という限定事項を，同じく「光源（１２）」に「ソケット（１１）にセットした」という限定事項を，同じく「両分割シャーシ（５ａ，５ｂ）」について「アルミニウム製であり」という限定事項をそれぞれ付加するとともに，同じく「照明型看板用光源支持具」を「光源支持具を備えた照明型看板」に変更して，更に「前記内側分割シャーシ（５ｂ）の収容空間（４）内の長手方向の一部に電源安定器用プリント基板（２４）及び電源安定器用電子部品（２５）が組み込まれ且つ電気配線されてシャーシ無しの電源安定器（３）が形成されて前記シャーシ（２）と電源安定器（３）のシャーシを兼用とし，前記収容空間（４）内に組み込まれた前記電源安定器（３）が雨から保護するカバー（９）で被覆されたものであり，前記光源支持具（１０）は前記両分割シャーシ（５ａ，５ｂ）の収容空間（４）内であって前記電源安定器（３）の両外側に取り付け板（６）が取り付けられて当該取り付け板（６）の先端側が収容空間（４）の外側まで突設され，夫々の取り付け板（６）の先端側に光源取り付け用のソケット（１１）が取り付けられて形成され，前記シャーシ（２）の底板（１５）が前記箱型ケース（１）内に取り付けられた」という限定事項を付加したものを新たな独立請求項である請求項１とし，さらに，本件補正前の請求項１の発明特定事項のうち「光源支持具（１０）はケース（１）に取り付けられる細長のシャーシ（２）に光源（１２）を取り付け可能なソケット（１１）が設けられ」を削除したものに，本件補正後の請求項１と同様の限定（ただし，「光源取り付け用のソケット（１１）」に係る事項を除く。）を施して新たな独立請求項である請求項２としたものである。
　してみると，本件補正前の請求項２と対応する請求項は，本件補正後の特許請求の範囲にはないことは明らかであり，また，本件補正前の請求項１は，本件補正後の請求項１及び２に対応する，或いは，本件補正後の請求項２では本件補正前の請求項１の発明特定事項の一部が削除されていることに照らせば，本件補正前の請求項１は，本件補正後の請求項１のみに対応するものであって，本件補正後の請求項２は，本件補正前の請求項１を限定したものではなく，本件補正前の特許請求の範囲には本件補正後の請求項２に対応する請求項がないといえるから，本件補正前の請求項と本件補正後の請求項とは,一対一又はこれに準ずるような対応関係に立つものではない。
　そして，このように，実質的に請求項を追加する補正を行ったことにより，補正前の請求項と補正後の請求項とが一対一又はこれに準ずるような対応関係に立つものではなくなる場合，当該補正は，平成１８年改正前特許法第１７条の２第４項第２号に規定する「特許請求の範囲の減縮」を目的とするものに該当しないから（知財高裁平成１７年４月２５日判決（平成１７年（行ケ）第１０１９２号）参照。），本件補正は，同号に規定する「特許請求の範囲の減縮」を目的とするものに該当しない。
　また，本件補正は，同項第１号に規定する請求項の削除，同項第３号に規定する誤記の訂正，及び同項第４号に規定する明りょうでない記載の釈明のいずれの目的にも該当しないことは明らかである。
　
（３）むすび 
　以上のとおり，本件補正は，平成１８年改正前特許法第１７条の２第４項の規定に違反するものであり，特許法第１５９条第１項の規定で読み替えて準用する同法第５３条第１項の規定により却下を免れない。
　
３．本願発明について
　
（１）本願発明
　本件補正は上記２．のとおり却下されたので，本願の請求項１〜２に係る発明は，平成１８年３月１５日付け手続補正書により補正された明細書の特許請求の範囲の請求項１〜２に記載された事項により特定されるとおりのものと認められるところ，そのうち、本願の請求項１に係る発明（以下「本願発明」という。）は，次のとおりである。
　　
「【請求項１】
　箱型のケース（１）内に光源支持具（１０）が取り付けられ，その光源支持具（１０）はケース（１）に取り付けられる細長のシャーシ（２）に光源（１２）を取り付け可能なソケット（１１）が設けられ，光源（１２）からの光により前記ケース（１）に取り付けられた広告や標識等が表示された表示パネルを照明する照明型看板内用の光源支持具において，前記細長のシャーシ（２）は内側分割シャーシ（５ｂ）と外側分割シャーシ（５ａ）で構成され，内側分割シャーシ（５ｂ）はシャーシ底板（１５ｂ）の両側に側壁（１４ｂ）を設けてそれらの内側全長に電源安定器（３）を収容可能な収容空間（４）が形成され，外側分割シャーシ（５ａ）はシャーシ底板（１５ａ）の両側に側壁（１４ａ）を設けてそれらの内側全長に内側分割シャーシ（５ｂ）を嵌入できる広さの嵌入空間（５０）が形成され，両分割シャーシ（５ａ，５ｂ）は内側分割シャーシ（５ｂ）が外側分割シャーシ（５ａ）の嵌入空間（５０）内に嵌入されて内側分割シャーシ（５ｂ）のシャーシ底板（１５ｂ）が外側分割シャーシ（５ａ）のシャーシ底板（１５ａ）の内側に，内側分割シャーシ（５ｂ）の両側壁（１４ｂ）が外側分割シャーシ（５ａ）の両側壁（１４ａ）の内側に重ねて配置され，内側分割シャーシ（５ｂ）の側壁（１４ｂ）と外側分割シャーシ（５ａ）の側壁（１４ａ）を連結することにより両分割シャーシ（５ａ，５ｂ）が連結され，両分割シャーシ（５ａ，５ｂ）の嵌合位置を変えることによりシャーシ（２）の長さを調節可能であることを特徴とする照明型看板用光源支持具。」
　 
（２）引用刊行物とその記載事項 
　原査定の拒絶の理由に引用された，本願出願前に日本国内において頒布された刊行物である特開平１０−１２０３２号公報（以下「引用例１」という。）には，「照明型表示体用光源支持具」に関し，図１〜５とともに次の事項が記載されている。 
 　 
ａ．「【請求項１】 ケース（１）内に細長の光源（２）が光源支持具（３）により取付けられ，光源（２）の外側からケース（１）に広告，標識等が表示された透光性のある表示パネルが配置固定され，表示パネルが光源（２）からの光により内側から照明されるようにした照明型表示体において，光源支持具（３）がケース（１）に取り付けるシャーシ（４）と，光源（２）を支持するアーム（５）を備え，アーム（５）がシャーシ（４）の軸線を中心としてその周方向の片側又は両側に回転可能なるようにシャーシ（４）に取付けられてなることを特徴とする照明型表示体用光源支持具。
【請求項２】 アーム（５）に光源（２）を着脱可能なソケット（６）が取付けられてなることを特徴とする請求項１記載の記載の照明型表示体用光源支持具。」（第２ページ第１欄第２〜１５行）
 　 
ｂ．「本発明はビルの外壁に取付ける照明型袖看板，駅の構内やホームの壁面に取付ける照明型看板，店頭の前に設置する照明型看板，また両面型，片面型の看板等を初めとする各種の広告用照明型看板，照明型案内標識，照明型案内地図等々の照明型表示体のケース内に取付けて使用される蛍光灯，ネオン灯，スリム管等の照明具（光源）を支持するための照明型表示体用光源支持具に関するものである。」（第２ページ第１欄第２５〜３２行）
　
ｃ．「これは図１の様にケース１の底板２０に図示されていないビス等により取付ける細長のシャーシ４の長手方向両端から取付け板２１を立ち上げ，その取付け板２１にアーム５をピン１６により取付けて，ピン１６を回転軸として図２の矢印Ａ−Ｂ方向に回転可能としてある。シャーシ４，アーム５，取付け板２１は金属製であり，シャーシ４の上に電源安定器１２が取付けられている。」（第３ページ第３欄第２１〜２８行）
 　 
ｄ．「このため一つの照明型表示体用光源支持具で光源２を種々の向きに変えて使用することができ，従来の様に，光源２の向きが異なる照明型表示体用光源支持具を各種取り揃える必要がなく，同一のものを少品種大量生産することができ，製造上も，保管上も管理がし易くなり，コストの低減を図ることもできる。」（第４ページ第５欄第８〜１４行）
　　
ｅ．図２及び３には，細長のシャーシ（４）がシャーシ底板の両側に側壁を設けて，両側壁の内側全長に空間が形成される点が記載されているものと認められる。
　
　したがって，上記記載事項ａ．〜ｅ．及び図１〜５の記載からみて，引用例１には，
　　
「箱型のケース（１）内に光源支持具（３）が取り付けられ，その光源支持具（３）はケース（１）に取り付けられる細長のシャーシ（４）に取り付けられたアーム（５）に光源（２）を取り付け可能なソケット（６）が取り付けられ，光源（２）からの光により前記ケース（１）に取り付けられた広告や標識等が表示された表示パネルを照明する照明型看板用の光源支持具において，前記細長のシャーシ（４）はシャーシ底板の両側に側壁を設けてそれらの内側全長に空間が形成され，前記シャーシ（４）の上に電源安定器（１２）を取り付けた照明型看板用光源支持具。」
　
の発明（以下「引用発明」という。）が記載されていると認められる。
 　
　同じく，原査定の拒絶の理由に引用された，本願出願前に日本国内において頒布された刊行物である特開平９−８２１２７号公報（以下「引用例２」という。）には，「インバータ回路基板」に関し，図１〜７とともに次の事項が記載されている。　　
　
ｆ．「【請求項１】  ＣＦＬ（冷陰極蛍光管）を直接実装可能なインバータ回路基板に於いて、回路部品の実装されたメイン基板とランド処理の施されたスライド基板とから成り、前記メイン基板とスライド基板は支持部材によって接続され、前記スライド基板をスライドさせ、支持点を自由に変更できることを特徴とするインバータ回路基板。」（第２ページ第１欄第２〜８行）
　
ｇ．「液晶表示機器の利用分野の拡大に伴い、種類及びその表示面積は多岐になっている。これは、バックライトユニットにおいても同様のことがいえる。バックライトユニットにおける種類の増加の最大の要因は、液晶表示機器の表示面積（映像エリア）があまりにも様々であるためである。表示面積の違いにより、使用部品の変更が必要になる。特にＣＦＬ、導光板は、表示面積が違うことから当然の事ながらその全長等に違いが出てくる。ＣＦＬの全長が変わることにより、ＣＦＬをインバータ回路基板に直接接続する場合、インバータ回路基板もそれに合わせ変更せざるをえなかった。これは、その都度イニシャルコストを発生させ、さらには製造ラインにおけるラインそのもの迄を見直さなければならないという問題点があった。そこで、本発明は、ＣＦＬの様々な全長に対応できる様に基板の共通化を図り、上記問題を解決しようとするものである。」（第２ページ第１欄第４６行〜同ページ第２欄第１２行）
　　
ｈ．「メイン基板とスライド基板を用い、スライド基板を左右にスライドさせることで、同一基板で様々な全長のＣＦＬを接続することができ、コストダウンにつながる。
　・・・支持部材にボルト、ナットを用いる場合、あらかじめケース内にボルトを埋め込んでおくことにより、インバータ回路基板の位置決めが容易に、かつ正確にできる。」（第３ページ第３欄第２９〜３６行）
　
　したがって，上記記載事項ｆ．〜ｈ．及び図１〜７の記載からみて，引用例２には，
　
「冷陰極蛍光管を直接接続するバックライトユニットのインバータ回路基板であって，前記インバータ回路基板はメイン基板とスライド基板とから構成され，ボルト及びナットを用いて前記メイン基板と前記スライド基板が連結され，その連結位置を変えることにより前記インバータ回路基板の長さを調節可能としたバックライトユニットのインバータ回路基板。」
　
の発明（以下「引用発明２」という。）が記載されていると認められる。
　
（３）対比
　　
　本願発明と引用発明とを対比すると，引用発明の「細長のシャーシ（４）に取り付けられたアーム（５）に光源（２）を取り付け可能なソケット（６）が取り付けられ」は，実質的に，本願発明の「細長のシャーシに光源を取り付け可能なソケットが設けられ」に相当するとともに，引用発明の「シャーシ（４）」は，その限りにおいて，本願発明の「内側分割シャーシ（５ｂ）」及び「外側分割シャーシ（５ａ）」と共通し，引用発明の「空間」は，その限りにおいて，本願発明の「電源安定器（３）を収容可能な収容空間（４）」及び「内側分割シャーシ（５ｂ）を嵌入できる広さの嵌入空間（５０）」と共通する。
　　
　そうすると，本願発明と引用発明とは，
　　
「箱型のケース内に光源支持具が取り付けられ，その光源支持具はケースに取り付けられる細長のシャーシに光源を取り付け可能なソケットが設けられ，光源からの光により前記ケースに取り付けられた広告や標識等が表示された表示パネルを照明する照明型看板内用の光源支持具において，前記細長のシャーシはシャーシ底板の両側に側壁を設けてそれらの内側全長に空間が形成された照明型看板用光源支持具。」
　　
 である点で一致し、以下の点で相違する。
 　 
［相違点１］
　本願発明では，細長のシャーシは，内側分割シャーシと外側分割シャーシで構成され，内側分割シャーシはシャーシ底板の両側に側壁を設けて，外側分割シャーシはシャーシ底板の両側に側壁を設けてそれらの内側全長に内側分割シャーシを嵌入できる広さの嵌入空間が形成され，両分割シャーシは内側分割シャーシが外側分割シャーシの嵌入空間内に嵌入されて内側分割シャーシのシャーシ底板が外側分割シャーシのシャーシ底板の内側に，内側分割シャーシの両側壁が外側分割シャーシの両側壁の内側に重ねて配置され，内側分割シャーシの側壁と外側分割シャーシの側壁を連結することにより両分割シャーシが連結され，両分割シャーシの嵌合位置を変えることによりシャーシの長さを調節可能であるのに対して，
　引用発明では，細長のシャーシは，内側分割シャーシと外側分割シャーシで構成されていないため，「内側分割シャーシはシャーシ底板の両側に側壁を設けて，外側分割シャーシはシャーシ底板の両側に側壁を設けてそれらの内側全長に内側分割シャーシを嵌入できる広さの嵌入空間が形成され」たものでも，「両分割シャーシは内側分割シャーシが外側分割シャーシの嵌入空間内に嵌入されて内側分割シャーシのシャーシ底板が外側分割シャーシのシャーシ底板の内側に，内側分割シャーシの両側壁が外側分割シャーシの両側壁の内側に重ねて配置され」たものでもなく，「内側分割シャーシの側壁と外側分割シャーシの側壁を連結することにより両分割シャーシが連結され，両分割シャーシの嵌合位置を変えることによりシャーシの長さを調節可能」としたものでもない点。
　
［相違点２］
　本願発明は，内側分割シャーシの両側壁の内側全長に電源安定器を収容可能な収容空間が形成されたものであるのに対して，引用発明では，シャーシの両側壁の内側全長に空間が形成されたものであるものの，電源安定器はシャーシの上に設けられており，当該空間は電源安定器を収容可能なものであるのかどうかが明らかではない点。
　　
（４）相違点についての判断
　　
　次に，上記相違点について以下に検討する。
　　
［相違点１］について
　一般的に，直管形の蛍光灯はそのワット数に応じて長さが異なるため，直管形の蛍光灯を支持する照明器具においては，それぞれのワット数に応じて様々な長さの異なるものを製造しなければならず，保管や製造等のコストが大きくなるという課題があり，かかる課題を解決するために，照明器具の部品の共通化を図ることは，従来周知の事項である（例えば，実願昭５２−１０１４０１号（実開昭５４−２８２８０号）のマイクロフィルム参照。）。また，一般的に，照明器具の長さを調節するために，当該器具を構成する部品をスライド自在に構成することも，従来周知の事項である（例えば，上記実願昭５２−１０１４０１号（実開昭５４−２８２８０号）のマイクロフィルム，実願昭６３−２９３８６号（実開平１−１３２００９号）のマイクロフィルム参照。）。
　そして，引用発明は，照明型看板用光源支持具に係るものであるところ，照明型看板用光源支持具も照明器具の一態様であり，直管形光源の支持具である点で共通することを踏まえると，上記従来周知の事項を引用発明に適用することに格別の困難性はない。
　
　一方，引用発明２は，バックライトユニットのインバータ回路基板に係るものであるところ，バックライトユニットも照明器具の一態様であるという点では，引用発明とその技術分野を共通にしており，引用発明２は，冷陰極蛍光管の様々な全長に対応できるように基板の共通化を図り，製造コスト等を低減するという課題を有するものであるところ，部品の共通化を図り製造コスト等を低減するという点で引用発明と課題を共通にするものであるから（上記記載事項ｄ．ｇ．及びｈ．），引用発明２を引用発明に適用する動機付けは十分にあるというべきである。また，「バックライトユニット」と「照明型看板」という照明器具の態様の相違はもちろんのこと，両者の間で使用目的，製造や流通に携わる業者等が相違することは，引用発明と引用発明２を組み合わせることの阻害要因にはならない。してみれば，引用発明２を引用発明に適用することに格別の困難性はない。
　
　してみれば，引用発明において，引用発明２や上記従来周知の事項に照らして，それぞれのワット数に応じて様々な長さの異なる光源に対応する光源支持具を製造しなければならず，保管や製造等のコストが大きくなるという課題を解決するために，光源と接続される細長のシャーシ（４）の共通化を図るべく，これを２つのシャーシに分割するとともに，分割した各々のシャーシを，シャーシ（４）と同様に，シャーシ底板とその両側に側壁を設けるものとし，一方のシャーシを他方のシャーシの内側に重ねて配置して，両者をスライド自在に構成し，全体としてのシャーシの長さを調節可能に構成することは，当業者ならば容易に想到し得たことである。
　そして，引用発明のシャーシ（４）を上記のように構成することによって，当該他方のシャーシは，側壁の内側全長に当該一方のシャーシを嵌入できる広さの嵌入空間が形成されること，当該一方のシャーシが当該他方のシャーシの嵌入空間に嵌入されて，当該一方のシャーシのシャーシ底板が当該他方のシャーシのシャーシ底板の内側に，当該一方のシャーシの両側壁が当該他方のシャーシの両側壁の内側に重ねて配置されることは，明らかである。
　また，引用発明のシャーシ（４）を上記のように構成してその長さを調節するに当たり，当該一方のシャーシの側壁と当該他方のシャーシの側壁を連結又は嵌合するとともに，両者の連結位置又は嵌合位置を変えることも，引用発明２及び上記従来周知の事項に照らして当業者が容易に想到し得たことである。
　したがって，上記相違点１に係る本願発明の構成とすることに格別の困難性はない。
　　
［相違点２］について
　一般的に，直管形の蛍光灯を支持する照明器具において，当該器具の本体内に電源安定器を収容することは，従来周知の事項であり（例えば，特開平７−２７２５２９号公報，実願昭６３−１５６９７８号（実開平２−７７８１３号）のマイクロフィルム参照。），上記相違点１において検討したとおり，引用発明の照明型看板用光源支持具は照明器具の一態様であることや，直管形光源の支持具である点で共通することを踏まえると，引用発明において，当該従来周知の事項に照らして，シャーシ（４）の両側壁の内側全長に形成した空間に電源安定器を収容することは，当業者ならば容易に想到し得たことである。
　そして，引用発明のシャーシ（４）を上記相違点１において検討したように，２つのシャーシに分割して構成した場合には，両者を重ねて配置した際に上側（内側）に位置する上記一方のシャーシ側に電源安定器を収容するよう構成されることは明らかである。
　してみれば，上記相違点２に係る本願発明の構成とすることに格別の困難性はない。
　　
　そして，本願発明の奏する効果について検討しても，引用発明，引用発明２及び上記従来周知の事項から予測可能なものであり，格別なものとはいえない。
　
　よって，本願発明は，引用発明，引用発明２及び上記従来周知の事項に基づいて当業者が容易に発明することができたものである。
 　 
（５）むすび
　
　以上のとおり，本願発明は，特許法第２９条第２項の規定により特許を受けることができないものであるから，このような特許を受けることができない発明を包含する本願は，その請求項２に係る発明について検討するまでもなく，拒絶されるべきである。
　よって，結論のとおり審決する。